(57)【要約】      （修正有）【課題】ファンの配置を変更可能とし、部品レイアウトの自由度を高めた灯具ユニットを提供する。【解決手段】灯具ユニット２は、光源ユニットと、光源ユニットの光を灯具前方に投影する投影レンズを搭載したレンズユニット６と、光源ユニットおよびレンズユニット６を支持する放熱部材７と、放熱部材に送風する放熱用のファンを備える。放熱部材７は、複数のフィン９２と、フィンの間に形成された通風路を含み、フィン９２の一部に、通風路と非平行な向きにファンの風を通過させる切欠部９４を形成する。【選択図】図５
2020092055.tif 000002
【特許請求の範囲】
【請求項１】
発光素子を搭載した光源ユニットと、前記光源ユニットの光を灯具前方に投影する投影レンズを搭載したレンズユニットと、前記光源ユニットおよび前記レンズユニットを支持する放熱部材と、前記放熱部材に送風して放熱部材の熱を放散するファンと、を備えた灯具ユニットであって、
前記放熱部材は、ベース部と、前記ベース部に互いに平行となるように立設された複数のフィンと、前記フィンの間に形成された複数の通風路と、を含み、
前記フィンの一部に、前記通風路と非平行な向きに前記ファンの風を通過させる切欠部を形成したことを特徴とする灯具ユニット。
【請求項２】
前記発光素子の光を反射する反射面を回転軸周りに回転させる回転リフレクタを搭載したリフレクタモジュールを備え、
前記放熱部材は、前記反射面で反射された発光素子の光を前記投影レンズに入射させるように前記リフレクタモジュールを支持する請求項１に記載の灯具ユニット。
【請求項３】
前記切欠部は、前記通風路と非平行な風向きの風上側から風下側に向かって段階的に小さくなるように設けられた請求項１または２に記載の灯具ユニット。
【請求項４】
前記フィンは、前記フィンの断面が、略ハの字となるように配置され、前記略ハの字の頂上部に前記切欠部を備えた請求項１〜３のいずれか一項に記載の灯具ユニット。
【請求項５】
前記ファンを支持するブラケットを備え、
前記ブラケットは、前記ファンを、前記通風路と平行な向きに送風する第１の姿勢と、前記通風路と非平行な向きに送風する第２の姿勢とに、選択的に取り付け可能な取付構造を含む、請求項１〜４のいずれか一項に記載の車両用灯具。
【発明の詳細な説明】
【技術分野】
【０００１】
本発明は、放熱部材に送風するファンの配置を変更できる灯具ユニットに関する。
【背景技術】
【０００２】
近年、光源ユニットから出射した直進光を回転軸周りに回転する反射面を備えた回転リフレクタで反射させ、灯具前方に複雑な配光パターンを投影するブレードスキャン方式に関する技術が知られている。例えば、特許文献１には、回転リフレクタを利用して、車両前方を広範囲に照射する技術が記載されている。また、特許文献２には、回転リフレクタを用いて形成した配光パターンをずらして重畳させることにより、明暗境界近傍の明るさ変化を緩和する技術が記載されている。
【先行技術文献】
【特許文献】
【０００３】
【特許文献１】特開２０１８−０６７５２３号公報
【特許文献２】特開２０１８−０７３４８５号公報
【発明の概要】
【発明が解決しようとする課題】
【０００４】
ところで、ブレードスキャン方式を採用した灯具ユニットでは、光源ユニット、回転リフレクタ、レンズ等の構成部品を配光制御に適した姿勢で支持しつつ、ユニットから生ずる熱を放熱させる役割を有する放熱部材が設けられている。
【０００５】
また、放熱部材は、熱を放散するヒートシンクを備え、ヒートシンクは、導熱用のフィンを複数備えている。導熱用のフィンは、通風路を隔てて略平行に立設されており、通風路に空気が流れ込むと、空気の流れがフィンの熱を放散し、光源ユニットが冷却される。
【０００６】
しかし、従来のヒートシンクによれば、図１１，１２に示すように、通風路９３と平行に送風できる位置、つまり、ファン１０ｉ，１０ｊの位置にファンを配置する必要があり、例えば、ファンを１０ｋの位置に配置すると、フィン９２の表面で空気の流れが遮られ、通風路９３に空気を送りこむことができなかった。このため、ファンの位置が固定され、灯具ユニット全体の自由なレイアウトの妨げとなり、灯具ユニットのデザインの改良や小型化が難しくなるという問題があった。
【０００７】
そこで、本発明の目的は、ファンの配置を変更しても、フィンに空気を送り込むことの可能な灯具ユニットを提供することにある。
【課題を解決するための手段】
【０００８】
上記課題を解決するために、本発明の灯具ユニットは、発光素子を搭載した光源ユニットと、光源ユニットの光を灯具前方に投影する投影レンズを搭載したレンズユニットと、光源ユニットおよびレンズユニットを支持する放熱部材と、放熱部材に送風して放熱部材の熱を放散するファンと、を備え、放熱部材は、ベース部と、ベース部に互いに平行となるように立設された複数のフィンと、フィンの間に形成された複数の通風路と、を含み、フィンの一部に、通風路と非平行な向きにファンの風を通過させる切欠部を形成したことを特徴とする。
【０００９】
また、灯具ユニットは、発光素子の光を反射する反射面を回転軸周りに回転させる回転リフレクタを搭載したリフレクタモジュールを備え、放熱部材は、反射面で反射された発光素子の光を投影レンズに入射させるようにリフレクタモジュールを支持する。
【００１０】
このとき、切欠部は、通風路と非平行な風向きの風上側から風下側に向かって段階的に小さくなるように設けられていても良い。また、フィンは、断面が略ハの字となるように配置され、略ハの字の山頂部に切欠部を備えていても良い。
【００１１】
さらに、灯具ユニットは、ファンを支持するブラケットを備え、ブラケットは、ファンを、通風路と平行な向きに送風する第１の姿勢と、通風路と非平行な向きに送風する第２の姿勢とに、選択的に取り付け可能な取付構造を含むことも好適である。
【発明の効果】
【００１２】
本発明の灯具ユニットによれば、フィンに切り欠きを設けたため、切り欠きを通じて通風路にファンの風を送り込むことが可能となり、ファンの配置の自由度が高まるという優れた効果を有する。
【図面の簡単な説明】
【００１３】
【図１】本発明の一実施例を示す灯具ユニットを装備した、車両用灯具の断面図である。
【図２】図１の灯具ユニットの斜視図である。
【図３】図２の灯具ユニットを展開した展開斜視図である。
【図４】リフレクタモジュールの模式図である。
【図５】（ａ）灯具ユニットの底面図、（ｂ）ヒートシンクを灯具ユニット底面方向から視た斜視図である。
【図６】図５の灯具ユニットを、（ａ）側方から視たＡ−Ａ断面図、（ｂ）背面方向から視たＢ−Ｂ断面図である。
【図７】ヒートシンクの変形例を示す。添え字は、１：底面図、２：Ａ−Ａ断面図、３：Ｂ−Ｂ断面図を示す。
【図８】ヒートシンクの変形例を示す。添え字は、１：底面図、２：Ａ−Ａ断面図、３：Ｂ−Ｂ断面図を示す。
【図９】ヒートシンクの変形例を示す。添え字は、１：底面図、２：Ａ−Ａ断面図、３：Ｂ−Ｂ断面図を示す。
【図１０】ファンの取付構造を示す。
【図１１】従来の、（ａ）灯具ユニットの底面図、（ｂ）ヒートシンクを灯具ユニット底面方向から視た斜視図である。
【図１２】図１１の灯具ユニットを、（ａ）側方から視たＡ−Ａ断面図、（ｂ）背面方向から視たＢ−Ｂ断面図である。
【発明を実施するための形態】
【００１４】
以下、本発明を車両用灯具に裝備される灯具ユニットに具体化した実施形態を、図面に基づいて説明する。各図において、同一の符号は同一または類似する構成要素を示す。
【００１５】
図１〜３に示すように、本実施例の灯具ユニット２は、車両用灯具１のアウターレンズ１１および灯具ボディ１２の間に形成された灯室１３の内部に配置される。灯具ユニット２は、第１，２光源ユニット３，４と、リフレクタモジュール５と、レンズユニット６から構成される。また、灯室１３の内部には、灯具ユニット２の一部を灯具前方から遮蔽するエクステンション１４が設けられている。
【００１６】
また、灯具ユニット２は放熱部材７と、放熱部材７に送風するファン１０を備える。放熱部材７は、第１，２光源ユニット３，４と、リフレクタモジュール５と、レンズユニット６を支持し、第１，２光源ユニット３，４の搭載面７ａ，７ｂの背後に、第１，２光源ユニット３，４を主とする、灯具ユニット２から生ずる熱を放散するためのヒートシンク９を備えている。また、放熱部材７は、エイミング調整部材１５により灯具ボディ１２に保持されている。
【００１７】
第１光源ユニット３は、発光素子２１と、発光素子２１を搭載した基板２３を備え、第２光源ユニット４は、発光素子２２と、発光素子２２を搭載した基板２４を備える。また、リフレクタモジュール５は、回転軸Ｒの周りで回転する回転リフレクタ２５と、回転リフレクタ２５を保持するリフレクタケース２９と、回転リフレクタ２５を駆動するモータ２６を備える。
【００１８】
発光素子２１から出射した光Ｌ１は、第１レンズ３１を透過し、第２レンズ３２に入射する。一方、第２光源ユニット４から出射した光Ｌ２は、回転リフレクタ２５の反射面２５ａで反射され、第２レンズ３２に入射する。第２レンズ３２に入射した第１，２光源ユニットの光Ｌ１，Ｌ２は、灯具前方に投影されて所望の配光パターンを形成する。直接光Ｌ１と回転リフレクタを経た反射光Ｌ２の双方を第２レンズ３２に向けるため、基板２３，２４は、非平行に設けられている。
【００１９】
次に、リフレクタモジュール５について詳説する。図４に示すように、リフレクタモジュール５は、略分割円盤状の反射面２５ａを回転軸Ｒの周りに回転自在に設けた回転リフレクタ２５と、回転リフレクタ２５を駆動するモータ２６と、回転リフレクタ２５を保持するリフレクタケース２９を備える。リフレクタケース２９は、回転リフレクタ２５の外周を囲む立壁２９ｂを備える。
【００２０】
図４（ｂ）に示すように、回転リフレクタ２５は、中心部において回転軸Ｒと接続され、回転軸Ｒは、リフレクタケース２９の底面に開口した穴２９ａを通じてモータ２６と接続されている。また、モータ２６は、コイル２６ａと通電により回転するヨーク２６ｂを含む。リフレクタケース２９の外側底面には、モータ２６を制御する制御回路を搭載した制御回路基板２７が配置されている。
【００２１】
続いて、放熱部材７に設けられたヒートシンク９について、図５〜１０に基づいて詳説する。図５，６に示すように、ヒートシンク９は、ベース部９１と、ベース部９１に互いに平行となるように立設された複数の導熱用のフィン９２と、フィンの間に形成された複数の通風路９３から構成される。ヒートシンク９の近傍には、通風路９３と平行な気流の風を送風するファン１０ｉ，１０ｊ、または、通風路９３と非平行な気流の風を送風するファン１０ｋを配置することができる。
【００２２】
ここで、フィン９２には、通風路９３と非平行に流れる風を通過させる切欠部９４が設けられている。図６において、網掛部分はフィン９２の残存部分を示し、網掛されていない部分は切欠部９４を示す。切欠部９４は、ファン１０ｋの風上から風下に向かうにつれて、段階的に小さくなるように設けられている。このため、ファン１０ｋからの風は、切欠部９４から侵入した後に通風路９３に流れ込み、フィン９２の熱を放散する。このように、ファンを、ファン１０ｉ，１０ｊ，１０ｋのいずれの位置に配置しても、通風路９３に風を送り込むことができ、フィン９２の熱を放散することができる。
【００２３】
図７〜９に、ヒートシンク９の変形例を示す。図７〜９においても、網掛部分はフィン９２の残存部分を示し、網掛されていない部分は切欠部９４を示す。図７，８では、いずれもファン１０ｋの風上から風下に向かうにつれて、フィン９２の面積が小さくなり、ファン１０ｋの風が段階的に取り込まれるように設けられている。図９では、フィン９２のＡ−Ａ断面が略ハの字状となるように形成し、略ハの字状の山頂部に隙間ないし切欠部９４が設けられている。この場合には、略ハの字状の頂上部がファン１０ｋの風上を向くように配置したため、ファン１０ｋからの風がフィン９２の表面を伝って、よりスムーズに通風路９３に導くことが可能となる。
【００２４】
図１０に示すように、ファン１０ｉ，１０ｊ，１０ｋは、ブラケット１６を介して灯具ユニット２に支持される。ブラケット１６は、通風路９３と平行な向きに送風する第１の姿勢を有するファン１０ｉ，１０ｊと、通風路９３と非平行な向きに送風する第２の姿勢を有するファン１０ｋとに選択的に取り付け可能な取付構造を備えている。
【００２５】
以上の構成の灯具ユニット２によれば、フィン９２に切欠部９４を設けたため、フィン９２の通風路９３と非平行な向きに送風するファン１０ｋからの風を取り込み、通風路９３へ導くことが可能となる。また、ファン１０ｋの風上から風下に向けて、段階的に切欠部９４を小さくなるように設けたため、風上側の通風路から風下側の通風路に至るまで、より均等に風を取り込むことが可能となる。このため、ファン配置の自由度が高まり、車両用灯具や車両のレイアウトに合わせてファンの配置を変更することができる。
【００２６】
なお、本発明は、上記実施例に限定されるものではなく、発明の趣旨を逸脱しない範囲で、各部の形状ならびに構成を適宜に変更して実施することも可能である。
【符号の説明】
【００２７】
１  車両用灯具
２  灯具ユニット
３  第１光源ユニット
４  第２光源ユニット
５  リフレクタモジュール
６  レンズユニット
７  放熱部材
８  レンズホルダ
９  ヒートシンク
１０  ファン
１１  アウターレンズ
１２  灯具ボディ
１３  灯室
１４  エクステンション
１５  エイミング調整部材
２１，２２  発光素子
２３，２４  基板
２５  回転リフレクタ
２６  モータ
２７  制御回路基板
２９  リフレクタケース
３１  第１レンズ
３２  第２レンズ（投影レンズ）
９１  ベース部
９２  フィン
９３  通風路
９４  切欠部
Ｌ  光
Ｒ  回転軸
【図１】
2020092055.tif 000003
【図２】
2020092055.tif 000004
【図３】
2020092055.tif 000005
【図４】
2020092055.tif 000006
【図５】
2020092055.tif 000007
【図６】
2020092055.tif 000008
【図７】
2020092055.tif 000009
【図８】
2020092055.tif 000010
【図９】
2020092055.tif 000011
【図１０】
2020092055.tif 000012
【図１１】
2020092055.tif 000013
【図１２】
2020092055.tif 000014